(57)【要約】      （修正有）【課題】石油等を用いたコンロに関し、コンロの周囲および本体内が高温化するのを防止し、同時に高い熱効率を確保し得るコンロを提供する。【解決手段】第一開口部１５を設けた天板１４内に、内周に炎口部８を設けた環状のバーナ１を設け、バーナ１の上下方の各々に、整流体２２と、汁受皿２４を載置する第二開口部２３を有したバーナ台２５とを設け、バーナ台２５の第二開口部２３の周囲に、本体板２６の間を遮蔽する遮蔽体２８を設けたので、汁受皿２４の有無に関わらず、遮蔽体２８が第二開口部２３からの大量の空気流入を抑制するため、バーナ１周囲の空気流のバランスを常に適正に保ち、火炎３０の方向を中央に向けて、高い熱効率を確保し、コンロの周囲および本体内の高温化を防止できる。【選択図】図１
2006145052.tif 000002
【特許請求の範囲】
【請求項１】
第一開口部を設けた天板と、前記天板の内方に設け内周面に炎口部を穿設した略環状のバーナと、前記バーナの上方に空隙を介して設け内周側に上方傾斜部を構成した略環状の整流体と、前記バーナの下方に設け前記第一開口部の直下に第二開口部を構成したバーナ台と、前記バーナ台の下方に設けた本体板と、前記第二開口部に載置した着脱自在の汁受皿とを備え、前記第二開口部と前記本体板の間を遮蔽する遮蔽体を設けたコンロ。
【請求項２】
遮蔽体は、バーナ台の第二開口部の周囲を本体板側に下方屈曲させて構成した請求項１に記載のコンロ。
【請求項３】
第一開口部を設けた天板と、前記天板の内方に設け内周面に炎口部を穿設した略環状のバーナと、前記バーナの上方に空隙を介して設け内周側に上方傾斜部を構成した略環状の整流体と、前記バーナの下方に設け前記第一開口部の直下に第二開口部を構成したバーナ台と、前記第二開口部に載置した着脱自在の汁受皿と、前記第二開口部の周囲に設けた前記汁受皿の着脱検知手段と、燃料供給手段とを備え、前記着脱検知手段と前記燃料供給手段を連動させたコンロ。
【請求項４】
着脱検知手段は、汁受皿が非装着の場合、燃料供給手段を停止させた請求項３に記載のコンロ。
【請求項５】
第一開口部を設けた天板と、前記天板の内方に設け内周面に炎口部を穿設した略環状のバーナと、前記バーナの上方に空隙を介して設け内周側に上方傾斜部を構成した略環状の整流体と、前記バーナの下方に設け前記第一開口部の直下に第二開口部を構成したバーナ台と、前記第二開口部に載置した着脱自在の汁受皿と、前記整流体に設けた温度検知手段と、燃料供給手段とを備え、前記温度検知手段と前記燃料供給手段を連動させたコンロ。
【請求項６】
温度検知手段は、一定の設定温度への到達を検知した場合、燃料供給手段を停止させた請求項５に記載のコンロ。
【請求項７】
第一開口部を設けた天板と、前記天板の内方に設け内周面に炎口部を穿設した略環状のバーナと、前記バーナの上方に空隙を介して設け内周側に上方傾斜部を構成した略環状の整流体と、前記バーナの下方に設けたバーナ台とを備え、前記第一開口部の直下の位置で前記バーナ台に凹部を構成したコンロ。
【発明の詳細な説明】
【技術分野】
【０００１】
本発明は、ガス、石油等を燃料とするバーナを加熱源としたコンロに関するものである。
【背景技術】
【０００２】
従来この種のコンロは、特許文献１に示すようなものがある。これは、図１０に示されているように、内側に向く多数の炎口７１を内面の周方向に列設した環状バーナ７２の上方に、環状バーナ７２に対応する開口部７３を設けた天板７４を配置し、煮こぼれが環状バーナ７２にかからない様にするため、環状バーナ７２を被覆する程度の開口径を有する五徳枠７５を空隙７６を介して載置することにより第一の空気通路７７を設け、また環状バーナ７２の下方に第二の空気通路７８を設け、さらに環状バーナ７２の直下に着脱自在の汁受皿７９を載置し、汁受皿７９の周測面部の上部に下向きギャラリ状の第三の空気通路８０を複数設けたものであり、環状バーナ７２の炎口７１から内向きに形成された火炎８１を中央に寄せて鍋を加熱するようになっている。
【特許文献１】実開平６−４０７０５号公報
【発明の開示】
【発明が解決しようとする課題】
【０００３】
しかしながら上記従来のコンロの場合、汁受皿７９は着脱自在で、煮汁などの落下で汁受皿７９が汚れた場合、汁受皿７９の洗浄のため、通常は使用者が汁受皿７９を取り外す場合がある。そして、汁受皿７９を洗浄後に再度装着してコンロを再使用することが正常な使用方法である。また環状バーナ７２で内向きに形成される火炎８１は、汁受皿７９の正常な装着を前提として、第一の空気通路７７、第二の空気通路７８、第三の空気通路８０から流入する各燃焼空気量のバランスによって保たれている。しかし、図１１に示すように、何らかの原因で使用者が汁受皿７９を装着し忘れたり、紛失した場合には、本来汁受皿７９の第三の空気通路８０で一定の開口面積に保たれていた空間８２が過大な開口面積になり、環状バーナ７２の下方から多量の空気量が流入し、その影響で第一の空気通路７７からの燃焼空気量は低下するため、火炎８３のように中央に集中する作用が低下し、火炎８３は五徳枠７５の内周部に接触して、これを加熱しながら外方に向けて燃焼するようになる。また、この状態のまま燃焼量を低下させた場合、第一の空気通路７７からの燃焼空気量はさらに低下するため、環状バーナ７２と五徳枠７５の間の空隙７６内に、小火炎８４が入り込み、その燃焼排気流によってコンロ本体内の温度が上昇するという課題もあった。
【０００４】
本発明は、上記従来の課題を解決するもので、汁受皿の装着、非装着に関わらず、バーナの周囲の燃焼空気量のバランスを最適に保って火炎を中央に寄せた状態を維持し、高い熱効率を確保しながら、同時にコンロの周囲および本体内が高温化するのを防止することができるコンロを提供することを目的とする。
【課題を解決するための手段】
【０００５】
前記従来の課題を解決するために、本発明のコンロは、第一開口部を設けた天板と、天板の内方に設け内周面に炎口部を穿設した略環状のバーナと、バーナの上方に空隙を介して設け内周側に上方傾斜部を構成した略環状の整流体と、バーナの下方に設け第一開口部の直下に第二開口部を構成したバーナ台と、バーナ台の下方に設けた本体板と、第二開口部に載置した着脱自在の汁受皿とを備え、第二開口部と本体板の間を遮蔽する遮蔽体を設けたものである。
【０００６】
これにより、環状のバーナの火炎が中央に向かって噴出することで発生する負圧によって、整流体とバーナの間の空隙内を外側から内側に向かって第一の空気流が発生して火炎中に拡散し、火炎の上向き化を抑えながら火炎の方向をさらに中央に向かわせる。また、バーナとバーナ台との間の空間から第二の空気流が発生して火炎中に拡散し、第一の空気流と第二の空気流の流入方向、流入量のバランスが適正に保たれ、整流体の内側で構成する空間を火炎が上昇通過したのち、周囲の形状に沿って外気中に拡散する。したがって、火炎は良好な燃焼状態を維持しながら中央に集中し、鍋の受熱面積を拡大させることができるため、高い熱効率を確保することができる。
【０００７】
一方、煮こぼれなどで汁受皿が汚れた場合は、使用者が天板の第一開口部を通じて取り出し、洗浄作業を行うことになる。この時、何らかの原因で使用者が汁受皿をバーナ台に装着しない状態で、バーナに点火してコンロを使用した場合でも、バーナ台の第二開口部と本体板の間を遮蔽する遮蔽体が、第二開口部と本体板の間から大量の空気が流入することを抑制するため、第一の空気流と第二の空気流のバランスを適正に保ち、その結果火炎も中央に集中した状態を維持できる。したがって、汁受皿の装着、非装着に関わらず火炎の方向を適正に保って高い熱効率を確保し、同時にコンロの周囲および本体内が高温化するのを防止することができる。
【発明の効果】
【０００８】
本発明のコンロは、汁受皿の装着時、非装着に関わらず、環状のバーナの周囲の燃焼空気の流入方向、流入量のバランスを最適に保って火炎を中央に寄せた状態を維持して高い熱効率を確保すると同時に、コンロの本体内が高温化するのを防止することができる。
【発明を実施するための最良の形態】
【０００９】
第１の発明は、第一開口部を設けた天板と、天板の内方に設け内周面に炎口部を穿設した略環状のバーナと、バーナの上方に空隙を介して設け内周側に上方傾斜部を構成した略環状の整流体と、バーナの下方に設け第一開口部の直下に第二開口部を構成したバーナ台と、バーナ台の下方に設けた本体板と、第二開口部に載置した着脱自在の汁受皿とを備え、第二開口部と本体板の間を遮蔽する遮蔽体を設けたことにより、汁受皿の装着、非装着に関わらず、バーナ台の第二開口部と本体板の間を遮蔽する遮蔽体が、第二開口部と本体板の間から大量の空気が流入することを抑制するため、整流体とバーナの間の空隙内を外側から内側に向かう第一の空気流と、バーナとバーナ台との間を外側から内側に向かう第二の空気流との流入方向、流入量のバランスを常に適正に保ち、火炎の方向を中央に向かわせて、高い熱効率を確保すると同時に、コンロの周囲および本体内が高温化するのを防止することができる。
【００１０】
第２の発明は、特に第１の発明で、遮蔽体は、バーナ台の第二開口部の周囲を本体板側に下方屈曲させて構成したことにより、バーナ台をプレス加工することにより第二開口部と遮蔽体を一体成型でき、第二開口部と本体板の間から大量の空気が流入することを抑制することができる。
【００１１】
第３の発明は、第一開口部を設けた天板と、天板の内方に設け内周面に炎口部を穿設した略環状のバーナと、バーナの上方に空隙を介して設け内周側に上方傾斜部を構成した略環状の整流体と、バーナの下方に設け第一開口部の直下に第二開口部を構成したバーナ台と、第二開口部に載置した着脱自在の汁受皿と、第二開口部の周囲に設けた汁受皿の着脱検知手段と、燃料供給手段とを備え、着脱検知手段と燃料供給手段を連動させたことにより、着脱検知手段が汁受皿の装着、非装着を的確に検知して、その検知信号により、燃料供給の停止、燃料供給量の可変など種々の燃料供給手段の制御が可能となり、天板の周囲をはじめコンロの本体内が高温化するのを防止できる。
【００１２】
第４の発明は、特に第３の発明で、着脱検知手段は、汁受皿が非装着の場合、燃料供給手段を停止させたことにより、汁受皿が非装着の場合はバーナでの火炎形成を防止して、コンロの本体内が高温化することを未然に防止できる。
【００１３】
第５の発明は、第一開口部を設けた天板と、天板の内方に設け内周面に炎口部を穿設した略環状のバーナと、バーナの上方に空隙を介して設け内周側に上方傾斜部を構成した略環状の整流体と、バーナの下方に設け第一開口部の直下に第二開口部を構成したバーナ台と、第二開口部に載置した着脱自在の汁受皿と、整流体に設けた温度検知手段と、燃料供給手段とを備え、温度検知手段と燃料供給手段を連動させたことにより、汁受皿の非装着の場合だけでなく、何らかの原因で第一開口部が閉塞または狭くなった場合に、火炎が整流体とバーナの間の空隙内に回り込んだことを検知し、その検知信号により、燃料供給の停止、燃料供給量の可変など種々の燃料供給手段の制御が可能となり、コンロの本体内が高温化するのを防止できる。
【００１４】
第６の発明は、特に第５の発明で、温度検知手段は、一定の設定温度への到達を検知した場合、燃料供給手段を停止させたことにより、汁受皿の非装着の場合を含め、多様な異常によるコンロ本体の高温化を防止することができる。
【００１５】
第７の発明は、第一開口部を設けた天板と、天板の内方に設け内周面に炎口部を穿設した略環状のバーナと、バーナの上方に空隙を介して設け内周側に上方傾斜部を構成した略環状の整流体と、バーナの下方に設けたバーナ台とを備え、第一開口部の直下の位置でバーナ台に凹部を構成したことにより、バーナ台の凹部が汁受皿の機能を果たし、従来のコンロのような汁受皿の装着忘れという事態そのものをなくすことができ、整流体とバーナの間の空隙内を外側から内側に向かう第一の空気流と、バーナとバーナ台との間を外側から内側に向かう第二の空気流との流入方向、流入量のバランスを常に適正に保ち、火炎の方向を中央に向かわせて、高い熱効率を確保することができ、同時に、コンロの周囲および本体内が高温化するのを防止できる。
【００１６】
（実施の形態１）
図１は、本発明の実施の形態１におけるコンロの要部縦断面図、図２は、同実施の形態における汁受皿が非装着状態のコンロの要部縦断面図である。
【００１７】
図１、図２において、バーナ１は、ＳＵＳ３０４、ＳＵＳ３１６、ＳＵＳ３２１等のオーステナイト系ステンレス、またはＳＵＳ４３０、ＳＵＳ４３６等のフェライト系ステンレスといった耐熱性、耐食性に優れた板厚０．５〜１ｍｍの板金材料（本実施の形態の場合、０．５〜０．６ｍｍ）をプレス成型加工したもので、環状管２と予混合ガスを吸引するための混合管３を、環状管２の略接線方向に連通させたものである。環状管２と混合管３は、内周が環状の炎口板４と同じく内周が環状の底板５を嵌合して構成し、炎口板４は、内周側の上部を約７５°程度上向きに傾斜させた環状の傾斜面６と、その下方の内周部に内周フランジ部７を構成している。さらに、傾斜面６にはスリット幅約０．５５〜０．６５ｍｍで上下方向に縦長に開口する複数のスリットを穿設した炎口部８が配設されている。一方、底板５は炎口板４に対応した形状となっており、バーナ１の外周部は外周嵌合部９で被覆嵌合され、内周部は斜め下方に傾斜させた内周嵌合部１０で被覆嵌合されている。また、炎口部８は、傾斜面６の上端部から一定の距離を隔てたところから設けられ、２列からなる長スリット群１１の間に、２列または４列からなる短スリット群１２、５列からなる最短スリット群１３を組合せて配置した構成である。
【００１８】
一方、耐熱強化ガラスで構成された天板１４の第一開口部１５には、環状の枠体１６に６箇所の爪部１７を嵌合した五徳１８が設置され、爪部１７が最短スリット群１３の中央の直上に位置するようにバーナ１が配設されている。バーナ１の上方には、空隙１９を介して内周側に上方傾斜部２０、外周側に下方傾斜部２１を構成した整流体２２が隔設され、上方傾斜部２０の内周端部は、五徳１８の枠体１６の内周端部によって遮蔽されている。さらに、バーナ１の下方には、中央部に第一開口部と対応する第二開口部２３を形成し、第二開口部２３の周縁部に汁受皿２４を載置したバーナ台２５が設けられ、バーナ台２５の下方にはコンロ本体の本体板２６が設けられている。ここで、バーナ１とバーナ台２５の間には外気と連通した空気通路２７が形成され、第二開口部２３の周囲は、本体板２６側に向かって筒状の遮蔽体２８が構成されている。本実施の形態の場合、遮蔽体２８は、バーナ台２５の第二開口部２３の周囲をプレス加工により下方屈曲部２９としてバーナ台２５と一体で構成し、下方屈曲部２９の下端部は本体板２６に接触または極めて近接した状態となっている。また、汁受皿２４は、五徳１８の枠体１６の内周部の直径より小さい寸法で構成されており、バーナ１の内側空間を通過させて天板１４の外部へ取出し可能としている。
【００１９】
以上のように構成されたコンロについて、以下動作、作用について説明する。
【００２０】
まず、バーナ１内の炎口部８はスリット幅０．５５〜０．６５ｍｍの範囲の細スリットで構成しているので、コンロ用バーナで通常設定される予混合空気比である４０〜５０％よりも高い予混合空気比（例えば６０〜８０％）の場合でも逆火しにくい構成となっている。ちなみに、バーナ１は耐熱耐食性に優れたステンレス板などで構成することにより、炎口部８のスリット幅は、通常は板厚の０．８〜１．２倍の範囲で打ち抜き加工が可能であり、板厚によって炎口形状の選択の自由度を拡大させることができる。このため、水素と空気の混合物などのように燃焼速度の速い燃料の場合でも、バーナ１の板厚とスリット幅を最適化して、逆火を防止することが容易である。本実施の形態の場合、板厚０．５〜０．６ｍｍのステンレス鋼板を用い、予混合空気比を６５〜７０％に設定している。このように、高い予混合空気比の予混合ガスを導入でき、炎口部８で中央に向かって形成される斜め上向きの火炎３０は、比較的火炎長の短いものとなる。また炎口部８は、中心に向かって斜め上方に傾斜した傾斜面６に構成されているため、火炎３０の噴出角度を斜め上方に向けることができ、炎口部８の内周径は上方になるほど拡大して、各スリットの間隔も拡大するため、各炎口における火炎３０同士の距離がはなれて相互の干渉を少なくでき、傾斜面６の上方への放熱も良好になって炎口部８の温度上昇を抑制することができる。この時、整流体２２とバーナ１の間の空隙１９には、火炎３０の上昇気流による負圧と、整流体２２の下方傾斜部２１の下端部と整流体２２の内周端部との高低差で生じる煙突効果により、空隙１９内に火炎３０に向かう第一の空気流３１が発生し、火炎３０は燃焼が促進されて中央に集中しながら上昇し、鍋底に接触して拡散する。また、バーナ１の下方では、バーナ台２５の空気通路２７を通じて、火炎３０の上昇気流によって発生した第二の空気流３２が発生するが、各スリットは上下方向に縦長に配設したため、隣り合うスリットの間に第二の空気流３２を効果的に流入させることができる。さらに、長スリット群１１の間に短スリット群１２、最短スリット群１３を配置した構成により、短スリット群１２、最短スリット群１３が長スリット群１１で形成される火炎３０同士の干渉を抑制して火炎３０を分割して短炎化を実現するとともに、各長スリット群１１の間の火移りを良好にできる。このようにして、第一の空気流３１と第二の空気流３２が最適なバランスを保ち、火炎３０中に効果的に拡散して良好な燃焼が維持される。
【００２１】
さらに、五徳１８の爪部１７は、最短スリット群１３の中央の直上に位置するように配設されているため、爪部１７の直下に最短スリット群１３で形成される最短火炎が位置することになり、爪部１７と火炎３０との接触を最も少なくできるため、爪部１７とバーナ１との距離を短縮しても、爪部１７と火炎３０の接触によるＣＯ等の未燃ガスの発生と爪部１７の過熱とを防止でき、五徳の耐久性の向上と高い熱効率を確保することができる。
【００２２】
一方、バーナ１で鍋などを加熱する場合、時間経過とともに鍋中の内容物が沸騰し、時折吹きこぼれが発生して、汁受皿２４中に蓄積することがある。このような場合、使用者は、通常汁受皿２４を取出して洗浄を行う。この時、何らかの原因で、洗浄後の汁受皿２４をバーナ台２５の第二開口部２３に装着し忘れたり、あるいは汁受皿２４そのものを紛失したりすることが起こり得るが、このような場合、図２に示すように汁受皿２４無しの状態でコンロを使用される場合が発生する。この時、バーナ台２５の第二開口部２３の周囲には、本体板２６側に向かう筒状の遮蔽体２８を下方屈曲部２９として一体で構成し、下方屈曲部２９の下端部は本体板２６に接触または極めて近接した状態となっているため、バーナ１に点火されても、第二開口部２３からはほとんど空気流入がなく、第一の空気流３１、第二の空気流３２は、汁受皿２４が装着されている場合と同様に最適なバランスを保って火炎３０の流出方向、燃焼状態を良好に維持することができる。
【００２３】
以上のように、汁受皿２４の装着、非装着に関わらず、バーナ１における火炎３０を中央に寄せた状態を維持して高い熱効率を確保すると同時に、コンロの周囲および本体内が高温化するのを防止することができる。
【００２４】
（実施の形態２）
図３は、本発明の実施の形態２におけるコンロの要部縦断面図、図４は、同実施の形態における汁受皿が非装着状態のコンロの要部縦断面図、図５は、同実施の形態における燃料供給手段の制御フローチャートである。
【００２５】
図３において、実施の形態１と異なる点は、バーナ台４０の第二開口部４１の周囲に遮蔽体を構成せず、汁受皿２４が載置される第二開口部４１の周囲の特定位置に、スイッチ構成を内蔵した汁受皿２４の着脱検知手段４２を設け、着脱検知手段４２と燃料供給手段４３とを連動させ、汁受皿２４が非装着の場合は、燃料供給手段４３を停止させたところである。
【００２６】
なお実施の形態１と同一符号のものは同一構造を有し、説明は省略する。
【００２７】
以上のように構成されたコンロについて、以下その動作、作用について説明する。
【００２８】
図３に示すように、汁受皿２４が装着された正常の状態でコンロを使用する場合、汁受皿の自重によって着脱検知手段４２のスイッチ構成が接続状態となって、図５に示すように汁受皿２４が装着されていることを検知して正常状態であると判定し、その検知信号が燃料供給手段４３に送られることによって、燃料供給手段４３からバーナ１へ燃料が供給され、実施の形態１と同様の中央寄りの火炎３０が形成される。一方、図４に示すように、何らかの原因で汁受皿２４が非装着の場合は、着脱検知手段４２のスイッチ構成が非接続状態となり汁受皿２４が非装着であることを検知し、図５に示すようにその検知信号によって燃料供給手段４３からの燃料供給は停止される。したがって、バーナ１へは点火されず、通常は種々の報知手段と組合わせることによって、汁受皿２４が非装着状態であるためバーナ１に点火しないことを使用者に報知し、汁受皿２４の装着を促すことができる。したがって、汁受皿２４が非装着の状態では、バーナ１に点火されることがないため、汁受皿２４が非装着状態でのバーナ１での燃焼を未然に防ぎ、速やかに使用者に事態を報知し、コンロの周囲および本体内の高温化を防止することができる。また、正常な燃焼状態では、高い熱効率を確保することができる。
【００２９】
（実施の形態３）
図６は、本発明の実施の形態３におけるコンロの要部縦断面図、図７は、同実施の形態における汁受皿が非装着状態のコンロの要部縦断面図、図８は、同実施の形態における燃料供給手段の制御フローチャートである。
【００３０】
図６において、実施の形態１と異なる点は、バーナ台５０の第二開口部５１の周囲に遮蔽体を構成せず、整流体５２にバーナ１との間の空隙１９内に臨む温度スイッチなどで構成した温度検知手段５３を設け、温度検知手段５３と燃料供給手段５４とを連動させ、空隙１９内の雰囲気温度が一定の設定温度に到達した場合、燃料供給手段５４を停止させたところである。
【００３１】
なお実施の形態１と同一符号のものは同一構造を有し、説明は省略する。
【００３２】
以上のように構成されたコンロについて、以下その動作、作用について説明する。
【００３３】
図６に示すように、汁受皿２４が装着された正常の状態でコンロを使用する場合、第一の空気流３１と第二の空気流３２が最適なバランスを保ち、バーナ１の火炎３０中に効果的に拡散して良好な燃焼が維持される。したがって、空隙１９内の雰囲気温度は設定温度に至らない状態（Ｔ＜Ｔ１℃）となっている。このような場合は、図８に示すように、燃料供給手段５４からバーナ１へ燃料が供給され続ける。ところが、図７に示すように、汁受皿２４が第二開口部５１の上に非装着となっている状態では、本体板２６とバーナ台５０の間の空間から、第二開口部５１を通じて多量の第三の空気流５６が上昇気流となって流入する一方、第一の空気流５７、第二の空気流５８の流入量が大きく低下し、その結果バーナ１では、大きく外周側に広がった火炎５５が形成され、整流体５２の内周端部や五徳１８の枠体１６の内周端部に火炎５５が近接あるいは接触し、整流体５２、枠体１６などが過熱し、必然的に空隙１９内の雰囲気温度が急激に上昇する。この時、図８に示すように、温度検知手段５３が設定温度以上（Ｔ≧Ｔ１℃）になったことを検知すると、温度検知手段５３の温度スイッチの接続状態が解除され、その検知信号によって燃料供給手段５４でバーナ１への燃料供給が停止される。したがって、バーナ１は消火状態となり、通常は種々の報知手段と組合わせることによって、汁受皿２４が非装着状態であるためバーナ１が消火したことを使用者に報知し、汁受皿２４の装着を促すことができる。さらに、汁受皿２４が正常に装着されていてる状態でも、第一開口部１５が閉塞されたり、開口面積が狭くなったような異常な状態では、燃焼ガスが第一開口部１５から排出されにくくなり、バーナ１の周囲の空気流のバランスが崩れて、高温の燃焼ガスが空隙１９内を外周方向に向けて流出するため、同様に空隙１９内の雰囲気温度が急激に上昇する。この場合でも、温度検知手段５３が設定温度に到達して、温度検知手段５３の温度スイッチの接続状態が解除され、燃料供給手段５４でバーナ１への燃料供給が停止される。このように、汁受皿の装着、非装着に関わらず、バーナ１での多様な燃焼異常による場合でも、速やかに使用者に事態を報知し、コンロの周囲および本体内の高温化を防止することができる。また、正常な燃焼状態では、高い熱効率を確保することができる。
【００３４】
（実施の形態４）
図９は、本発明の実施の形態４におけるコンロの要部縦断面図である。
【００３５】
図９において、実施の形態１と異なる点は、バーナ台６０に第二開口部を設けず、第一開口部１５の直下に対応するバーナ台６０の位置に、皿状の凹部６１を設けたところである。
【００３６】
なお実施の形態１と同一符号のものは同一構造を有し、説明は省略する。
【００３７】
以上のように構成されたコンロについて、以下その動作、作用について説明する。
【００３８】
図９に示すように、バーナ台６０の凹部６１が汁受皿としての機能を果たすため、従来のコンロのような汁受皿の装着忘れという事態そのものをなくすことができ、整流体２２とバーナ１の間の空隙１９内を外周側から内周側に向かう第一の空気流３１と、バーナ１とバーナ台６０との間を外側から内側に向かう第二の空気流３２との流入方向、流入量のバランスを常に適正に保ち、火炎３０の方向を中央に向かわせることができる。また、煮汁などが凹部６１に蓄積した場合、第一開口部１５を通じて使用者が容易に凹部を清掃することができる。以上のように、高い熱効率を確保することができ、同時に、コンロの周囲および本体内が高温化するのを防止できる。
【産業上の利用可能性】
【００３９】
以上のように、本発明にかかるコンロは、汁受皿の装着、非装着に関わらず、環状のバーナの周囲の燃焼空気の流入方向、流入量のバランスを最適に保って火炎を中央に寄せた状態を維持して、高い熱効率を確保すると同時に、コンロの本体内が高温化するのを防止することができるため、その他、調理器、給湯器、暖房機、焼却器など燃焼装置の用途に適用が可能である。
【図面の簡単な説明】
【００４０】
【図１】本発明の実施の形態１におけるコンロの要部縦断面図
【図２】本発明の実施の形態１における汁受皿が非装着時のコンロの要部縦断面図
【図３】本発明の実施の形態２におけるコンロの要部縦断面図
【図４】本発明の実施の形態２における汁受皿が非装着時のコンロの要部縦断面図
【図５】本発明の実施の形態２におけるコンロの燃料供給手段の制御フローチャート
【図６】本発明の実施の形態３におけるコンロの要部縦断面図
【図７】本発明の実施の形態３における汁受皿が非装着時のコンロの要部縦断面図
【図８】本発明の実施の形態３におけるコンロの燃料供給手段の制御フローチャート
【図９】本発明の実施の形態４におけるコンロの要部縦断面図
【図１０】従来のコンロの要部縦断面図
【図１１】同従来のコンロにおける汁受皿が非装着時の要部縦断面図
【符号の説明】
【００４１】
１  バーナ
２  環状管
８  炎口部
１４  天板
１５  第一開口部
１９  空隙
２０  上方傾斜部
２２、５２  整流体
２３、４１、５１  第二開口部
２５、４０、５０、６０  バーナ台
２６  本体板
２８  遮蔽体
２９  下方屈曲部
４２  着脱検知手段
４３、５４  燃料供給手段
５３  温度検知手段
６１  凹部
【図１】
2006145052.tif 000003
【図２】
2006145052.tif 000004
【図３】
2006145052.tif 000005
【図４】
2006145052.tif 000006
【図５】
2006145052.tif 000007
【図６】
2006145052.tif 000008
【図７】
2006145052.tif 000009
【図８】
2006145052.tif 000010
【図９】
2006145052.tif 000011
【図１０】
2006145052.tif 000012
【図１１】
2006145052.tif 000013